(57)【要約】【課題】  開閉時の衝撃から表示パネルを保護する。【解決手段】  下カバー４４と上カバー４５の間に、液晶表示パネル４１、バックライト４２、基板４３及びキーパッド本体４６が収容される。キーパッド本体４６は、衝撃吸収効果が高いゴム状弾性材料などから成型される。キーパッド本体４６は、下カバー４４に設けられた枠４４ａに収納保持される。キーパッド本体４６には枠状の収納部４６ａが設けられ、液晶表示パネル４１及びバックライト４２が、収納部４６ａに嵌入固定される。【選択図】図４
2008270992.tif 000002
【特許請求の範囲】
【請求項１】
画像を表示する画像表示部を本体に対して開閉可能に結合するヒンジ機構を具備する撮像装置であって、
前記画像表示部が、表示パネルと、前記表示パネルを保持する弾性部材とを具備し、
前記弾性部材が、前記画像表示部を前記本体に対して閉じた状態で前記本体に当接するように露出することを特徴とする撮像装置。
【請求項２】
前記弾性部材が操作ボタンを形成することを特徴とした請求項１に記載の撮像装置。
【請求項３】
前記弾性部材が、前記画像表示部を前記本体に対して開くための指掛け部を形成することを特徴とした請求項１又は２の何れか記載の撮像装置。
【発明の詳細な説明】
【技術分野】
【０００１】
本発明は、本体に対し開閉可能な画像表示部を有する撮像装置に関する。
【背景技術】
【０００２】
ビデオカメラ本体に対し、液晶表示パネルを用いた画像表示部を、２軸ヒンジ機構により、本体から開いた位置に回動可能であって、開いた状態で画面を背面方向から前面方向に回転可能に支持する構成が知られている（例えば、特許文献１）。即ち、２軸ヒンジ機構は、互いに直交する第１及び第２の回転中心軸を具備する。画像表示部は、第１の回転中心軸を中心に本体の側面に収納した状態から開いた位置に回動可能である。画像表示部はまた、開いた状態で、第２の回転中心軸を中心に、画面を背面方向から前面方向に回転可能である。画像表示部の画面の向きを適宜に調節することで、撮像時の大型ファインダとして利用できる。
【０００３】
また、操作時の利便性を高めるために、ビデオカメラ本体に対して開閉可能な画像表示部に操作部を配置した構成も知られている（例えば、特許文献２）。
【０００４】
図９及び図１０を参照して、液晶表示パネルを用いた画像表示部を２軸ヒンジ機構を介して本体に結合した従来のビデオカメラの構成を説明する。図９は、従来のビデオカメラで画像表示部を閉じた状態の斜視図を示す。図１０は、従来のビデオカメラで画像表示部を開いた状態の斜視図である。
【０００５】
ビデオカメラ本体１００に対して、撮影画像や再生画像を表示可能な画像表示部２００が、ヒンジ機構３００により開閉可能及び回転可能に結合されている。画像表示部２００は、例えば、２．５インチ程度の液晶パネルなどからなる。画像表示部２００に設けられた操作ボタン２０１，２０２，２０３，２０４により、再生／一時停止、停止、早送り及び巻き戻し等の再生操作を行うことができる。
【０００６】
ヒンジ機構３００の構成を詳しく説明する。図１１は、ヒンジ機構３００をビデオカメラ本体１００に取り付けた状態を示す。図１２は、ヒンジ機構３００の分解斜視図である。
【０００７】
ヒンジ機構３００は、図１１に示すように、ビデオカメラ本体１００の側壁に取り付けられ、その自由端側に画像表示部２００が取り付けられている。ヒンジ機構３００は、本体取付け部３０１，３０２でビデオカメラ本体１００に取り付けられる。開閉支軸３０３，３０４は、画像表示部２００をビデオカメラ本体１００に対して、図１１のＹ軸を回転中心として開閉させるための回転中心軸となる。開閉ストッパ３０５，３０６は、開閉支軸３０３，３０４による画像表示部２００の開きを９０度に規制する。固定カム３０７は本体取付け部３０１に固定され、可動カム３０８は、開閉支軸３０３の軸方向に移動自在に挿入される。コイルバネ３０９が、可動カム３０８を固定カム３０７の方向に常時付勢する。表示取付け部３１０に画像表示部２００が取り付けられる。
【０００８】
回動軸３１１は、画像表示部２００をビデオカメラ本体１００に対して、図１１のＸ軸を回転中心として回動させる際の回転中心軸となる。板バネ３１２が、回動軸３１１に所定の回動トルクは与える。回動ストッパ３１３は、回動軸３１１を中心とする画像表示部２００の回転を一定範囲に規制する。開閉支軸３０３，３０４はそれぞれの一端でベース板金３１４に固定される。ベース板金３１４は、回動軸３１１を回動自在に支持する。外装カバー３１５，３１６が、ヒンジ機構３００を被う。
【０００９】
画像表示部２００の開閉時のヒンジ機構３００の動作を説明する。図１３（ａ）は、画像表示部２００がビデオカメラ本体１００に対して閉じたときのヒンジ機構３００側面図を示す。図１３（ｂ）は、画像表示部２００がビデオカメラ本体１００に対して４５度開いたときのヒンジ機構３００の側面図を示す。図１３（ｃ）は、画像表示部２００がビデオカメラ本体１００に対して９０度開いたときのヒンジ機構３００の側面図を示す。
【００１０】
図１３（ａ）に示すように、画像表示部２００がビデオカメラ本体１００に対して閉じているとき、固定カム３０７のカム面に可動カム３０８の面が係合する。コイルバネ３０９が、固定カム３０７と可動カム３０８を互いに軸方向に圧接すると共に、画像表示部２００を閉じる方向に回転付勢する。これにより、画像表示部２００が、ビデオカメラ本体１００の側面に密着する方向に付勢され、保持される。
【００１１】
画像表示部２００をビデオカメラ本体１００に対して開いた状態にする場合、使用者は、コイルバネ３０９の付勢力に抗して画像表示部２００に開く方向の外力を作用させる。これにより、図１３（ｂ）に示すように、固定カム３０７のカム面と可動カム３０８の面との係合が外れる状態まで移動したとする。固定カム３０７と可動カム３０８の係合が外れた状態から、更に画像表示部２００を開く方向に外力を作用させると、固定カム３０７のカム面と可動カム３０８の面が再び係合する。この後、画像表示部２００は、コイルバネ３０９の付勢力により、開閉ストッパ３０５，３０６によって規制される位置（図１３（ｂ）に示す位置）まで自動的に開くと共に、その位置に保持される。
【００１２】
画像表示部２００をビデオカメラ本体１００に対して開いた状態から閉じた状態にする場合、使用者は、コイルバネ３０９の付勢力に抗して画像表示部２００に閉じる方向の外力を作用させる。可動カム３０８が固定カム３０７のカム面を越えると、画像表示部２００は、コイルバネ３０９の付勢力により、ビデオカメラ本体１００に対して閉じた位置まで付勢され、その位置に保持される。
【００１３】
ヒンジ機構３００を使用する構成では、画像表示部２００を開閉する際に、ヒンジ機構３００のコイルバネ３０９の付勢力により画像表示部２００に衝撃が加わる。画像表示部２００に一般的に使用される液晶表示パネル等のフラットパネルディスプレイは、ガラス板を使用する。画像表示部２００を開閉する際に発生する衝撃によって、ガラス欠け等の破損が発生することがある。
【００１４】
また、画像表示部２００をビデオカメラ本体１００に対して閉じる場合、画像表示部２００とビデオカメラ本体１００が衝突することによって、衝撃のみならず衝撃音が発生し、品位上も好ましくない。
【００１５】
画像表示部２００を閉じる際の衝撃及び衝撃音を緩和するために、ビデオカメラ本体１００にゴム等の緩衝部材４０１，４０２（図１０）を両面テープ等で貼り付けた構成が提案されている。
【特許文献１】特開平９−９１０８号公報
【特許文献２】特開平５−１５３４４８号公報
【発明の開示】
【発明が解決しようとする課題】
【００１６】
緩衝部材４０１，４０２は、画像表示部２００を閉じる際に発生する衝撃をある程度、吸収するが、画像表示部２００を開く際に発生する衝撃を吸収できない。画像表示部２００を開く際の衝撃が、画像表示部２００の内部構成部品である液晶表示パネルに伝わり、ガラス欠けなどの破損が生じる恐れがある。
【００１７】
また、緩衝部材４０１，４０２を貼り付けることによって、部品点数が増加するので、コストが増大する。
【００１８】
緩衝部材４０１，４０２を両面テープ等でビデオカメラ本体に貼り付ける構成では、緩衝部材４０１，４０２が剥がれ易い。
【００１９】
更には、画像表示部２００がビデオカメラ本体１００に対して閉じた状態から開く際に、ヒンジ機構３００の付勢力に抗する外力を作用させる必要があり、画像表示部２００を開き難い。
【００２０】
本発明は、このような不都合を解消する撮像装置を提示することを目的とする。
【課題を解決するための手段】
【００２１】
上記の目的を達成するために、本出願に係る撮像装置は、画像を表示する画像表示部を本体に対して開閉可能に結合するヒンジ機構を具備する撮像装置であって、前記画像表示部が、表示パネルと、前記表示パネルを保持する弾性部材とを具備し、前記弾性部材が、前記画像表示部を前記本体に対して閉じた状態で前記本体に当接するように露出することを特徴とする。
【発明の効果】
【００２２】
本発明によれば、画像表示部を開閉する際に生じる衝撃から表示パネルを保護でき、画像表示部を閉じる際に発生する好ましくない衝撃音を緩和できる。
【発明を実施するための最良の形態】
【００２３】
以下、図面を参照して、本発明の実施例を詳細に説明する。
【００２４】
図１は、本発明に係る撮像装置の一実施例であるビデオカメラを正面方向（被写体側）から見た斜視図を示す。図２は、本実施例を後方（撮影者側）から見た斜視図を示す。図３は、本実施例の画像表示部を開いた状態を後方（撮影者側）から見た斜視図を示す。
【００２５】
ビデオカメラ本体１の長手方向前方（被写体側）には、レンズ部２と、撮影音声を集音するマイク部３が設けられている。撮影画像を確認可能な画像表示部４は、２．５インチ程度の液晶パネルなどからなる。画像表示部４は、ヒンジ機構５によって、カメラ本体１に対して開閉可能に結合されている。ヒンジ機構５の構成は、従来のヒンジ機構３００と同じである。画像表示部４はまた、図３に示す開いた状態で、後方向（撮影者方向）から前方向（被写体方向）のほぼ１８０度以上の範囲で回転可能である。
【００２６】
カセットカバー６を開けると、ビデオカメラ本体１の内部に設けられた記録再生装置（不図示）に磁気テープカセットを出し入れすることができる。オープンツマミ７を操作することで、カセットカバー６を開くことが出来る。ズームツマミ８により光学ズーム又は電子ズームを操作できる。フォトボタン９は、静止画の記録に使用される。
【００２７】
図２に示すように、ビデオカメラ本体１には、撮影画像を確認するための接眼タイプのファインダ１０が設けられている。メニューボタン１１により、メニュー表示のオン／オフを切り替えできる。メニューツマミ１２により、メニューを選択し、決定する。ホワイトバランス設定ボタン１３により、撮影時のホワイトバランスを設定する。フォーカス設定ボタン１４により、撮影時のオートフォーカスとマニュアルフォーカスを選択し設定する。露出設定ボタン１５により、撮影時に露出を設定する。
【００２８】
露出ダイヤル１６を回転動作することで、全自動モード、シャッタスピード優先モード又は絞り優先モードなどの、撮影イメージに合わせたプログラム自動露出モードを設定できる。
【００２９】
電源ダイヤル１７を回転操作することで、電源オフ、撮影モード及び再生モードの何れかに切り替えることできる。トリガーボタン１８を押圧操作することで、動画撮影のスタートとストップをビデオカメラに指示する。
【００３０】
画像表示部４の構成を詳しく説明する。図４は、画像表示部４の背面から見た分解斜視図を示し、図５は、画像表示部４を前面（画面側）から見た分解斜視図を示す。図６は、画像表示部４の正面図を示す。図７は、図６のＡ−Ａから見た断面図を示す。図８は、画像表示部４の上カバーを取り外した状態の平面図である。
【００３１】
図４及び図５に示すように、画像表示部４は、撮影画像及び再生画像等を表示可能な液晶表示パネル４１と、液晶表示パネル４１の光源となるバックライト４２を具備する。液晶表示パネル４１は特許請求の範囲の表示パネルに相当する。液晶表示パネル４１及びバックライト４２は基板４３に接続される。下カバー４４と上カバー４５の間に、液晶表示パネル４１、バックライト４２、基板４３及びキーパッド本体４６が収容される。
【００３２】
キーパッド本体４６は、一般的に外装カバーに使用されるエンジニアリングプラスチックに比べ衝撃吸収効果が高いゴム状弾性材料などから成型され、特許請求の範囲の「表示パネルを保持する弾性部材」として機能する。キーパッド本体４６は、下カバー４４に設けられた枠４４ａに収納保持される。キーパッド本体４６には枠状の収納部４６ａが設けられ、液晶表示パネル４１及びバックライト４２が、図８に示すように、嵌入固定される。画像表示部４の開閉によって生じ液晶表示パネル４１に伝わる衝撃は、キーパッド本体４６により緩和され、液晶表示パネル４１のガラス欠け等の破損を防止できる。
【００３３】
キーパッド本体４６には、図５に示すように、それぞれ、再生／一時停止、停止、早送り及び巻き戻し等の機能が割り当てられたキートップ４６ａ，４６ｂ，４６ｃ，４６ｄが設けられている。キートップ４６ａ，４６ｂ，４６ｃ，４６ｄは、画像表示部４の下カバー４４に設けられた孔４４ａ，４４ｂ，４４ｃ，４４ｄから、図３に示すように外部に露出する。
【００３４】
各キートップ４６ａ，４６ｂ，４６ｃ，４６ｄの裏面の略中央には、図７に示すように、接点４６ｅが底面側に突出して設けられている。接点４６ｅは、キーパッド本体４６に導電性インキなどをスクリーン印刷することにより形成される。キートップ４６ａ，４６ｂ，４６ｃ，４６ｄが押圧力により変形すると、接点４６ｅが基板４３に接触し、回路パターンを短絡する。これにより、各キートップ４６ａ，４６ｂ，４６ｃ，４６ｄの操作が図示しないシステム制御回路に入力され、再生／一時停止、停止、早送り及び巻き戻し等の機能が実行される。
【００３５】
さらに、キーパッド本体４６には、図５に示すように、画像表示部４を閉じた時に生じる衝撃及び衝撃音を吸収するための緩衝部４６ｆ，４６ｇが設けられている。緩衝部４６ｆ，４６ｇは例えば、下カバー４４を構成するエンジニアリングプラスチックなどの硬質材料より衝撃吸収効果が高いゴム状弾性部材から成型される。緩衝部４６ｆ，４６ｇは、画像表示部４の下カバー４４に設けられた孔４４ｅ，４４ｆを貫通し、図３に示すように、本体１の側に露出する。画像表示部４を閉じる際に下カバー４４より先に緩衝部４６ｆ，４６ｇがビデオカメラ本体１に当接し、緩衝部４６ｆ，４６ｇが衝撃を吸収し、衝撃音を軽減する。また、緩衝部４６ｆ，４６ｇをキーパッド本体４６と一体に成形することにより、緩衝部４６ｆ，４６ｇが剥がれるといった問題を防ぐことができる。
【００３６】
キーパッド本体４６には更に、図４に示すように、画像表示部４を開くための指掛け部４６ｈが設けられている。指掛け部４６ｈは、画像表示部４の上カバー４５の側面に設けられた切り欠き部４５ａから、図３に示すように、外部に露出する。指掛け部４６ｈは、一般的に外装カバーに使用されるエンジニアリングプラスチックなどよりも摩擦係数の高いゴム状弾性材料で形成される。よって、指掛け部４６ｈに指を掛けることで、指が滑り難くなり、画像表示部４を開くことが容易となる。
【００３７】
以上説明したように、本実施例では、ゴム状弾性部材などから成型されたキーパッド本体４６に、液晶表示パネル４１を収納するための収納部４６ａを設け、液晶表示パネル４１を嵌入固定する構成とした。一般的に外装カバーに使用されるエンジニアリングプラスチックに比べ衝撃吸収効果が高いゴム状弾性部材から成型されたキーパッド本体４６が、液晶表示パネル４１に伝わる衝撃を緩和する。これにより、液晶表示パネル４１のガラス欠けなどの破損を防止できる。
【００３８】
また、キーパッド本体４６に、表示部４を閉じる時に生じる衝撃及び衝撃音を吸収する緩衝部４６ｆ，４６ｇを設けると共に、緩衝部４６ｆ，４６ｇを画像表示部４の下カバー４４を貫通して外部に露出するようにした。よって、下カバー４４より先に緩衝部４６ｆ，４６ｇがビデオカメラ本体１に当たるので、緩衝部４６ｆ，４６ｇが衝撃を吸収し、衝撃音を軽減する。さらに、緩衝部４６ｆ，４６ｇをキーパッド本体４６と一体で成形したので、緩衝部４６ｆ，４６ｇが剥がれるといった問題を防ぐことができる。
【００３９】
また、画像表示部４を開くために、キーパッド本体４６に摩擦係数の高いゴム状弾性材料で形成される指掛け部４６ｈを設け、画像表示部４の側面に露出させた。画像表示部４を開く際に指掛け部４６ｈに指を掛けることで指が滑り難くなり、表示部４を開くことが容易となる。
【図面の簡単な説明】
【００４０】
【図１】本発明の一実施例であるビデオカメラの正面方向（被写体側）から見た斜視図である。
【図２】本実施例の後方（撮影者側）から見た斜視図である。
【図３】本実施例の画像表示部を開いた状態を後方（撮影者側）から見た斜視図である。
【図４】本実施例の画像表示部の分解斜視図である。
【図５】別の方向からみた画像表示の分解斜視図である。
【図６】本実施例の画像表示部の表示面から見た平面図である。
【図７】図６におけるＡ−Ａ断面図である。
【図８】本実施例における画像表示部の上カバーを取り外した状態の平面図である。
【図９】従来のビデオカメラにおける画像表示部を閉じた状態の斜視図である。
【図１０】従来のビデオカメラにおける画像表示部を開いた状態の斜視図である。
【図１１】従来のビデオカメラにおけるヒンジ機構をビデオカメラ本体に取り付けた状態を示す図である。
【図１２】従来のビデオカメラにおけるヒンジ機構の分解斜視図である。
【図１３】従来のビデオカメラにおける画像表示部の開閉動作におけるヒンジ機構の動作を説明する図である。
【符号の説明】
【００４１】
１  ビデオカメラ本体
２  レンズ部
３  マイク部
４  表示部
５  ヒンジ機構
６  カセットカバー
７  オープンツマミ
８  ズームツマミ
９  フォトボタン
１０  ファインダ
１１  メニューボタン
１２  メニューツマミ
１３  ホワイトバランス設定ボタン
１４  フォーカス設定ボタン
１５  露出設定ボタン
１６  露出ダイヤル
１７  電源ダイヤル
１８  トリガーボタン
４１  液晶表示パネル
４２  バックライト
４３  基板
４４  下カバー
４５  上カバー
４６  キーパッド本体
【図１】
2008270992.tif 000003
【図２】
2008270992.tif 000004
【図３】
2008270992.tif 000005
【図４】
2008270992.tif 000006
【図５】
2008270992.tif 000007
【図６】
2008270992.tif 000008
【図７】
2008270992.tif 000009
【図８】
2008270992.tif 000010
【図９】
2008270992.tif 000011
【図１０】
2008270992.tif 000012
【図１１】
2008270992.tif 000013
【図１２】
2008270992.tif 000014
【図１３】
2008270992.tif 000015